(57)【要約】      （修正有）【課題】防水性を向上させることができ且つ容易に製造することができるコネクタを提供する。【解決手段】コネクタＣは、ボディと、第１端子２００ａと、第１閉塞部４００ａと、第１シール材５００ａとを備えている。ボディは、第１凹部１６０ａと、第１嵌合穴１５０ａと、保持部１７０とを有する。第１凹部１６０ａは、−Ｙ方向側に開口している。第１嵌合穴１５０ａは、第１凹部１６０ａに連通するように当該第１凹部１６０ａのＹ方向側に設けられている。保持部１７０は、第１凹部１６０ａおよび第１嵌合穴１５０ａの少なくとも一方のＹ方向側に設けられている。第１端子２００ａは、保持部１７０に保持されている。第１閉塞部４００ａは、保持部１７０の第１端子２００ａを保持した部分を覆うように第１嵌合穴１５０ａに嵌合している。第１シール材５００ａは、第１閉塞部４００ａを覆うように第１凹部１６０ａ内に充填されている。【選択図】図２Ａ
2015026544.tif 000002
【特許請求の範囲】
【請求項１】
第１方向の一方側に開口した第１凹部、前記第１凹部に連通するように当該第１凹部の前記第１方向の他方側に設けられた第１嵌合穴、および、前記第１凹部および前記第１嵌合穴の少なくとも一方の前記第１方向の他方側に設けられた保持部を有するボディと、
前記ボディの前記保持部に保持された第１端子と、
前記保持部の前記第１端子を保持した部分を覆うように前記第１嵌合穴に嵌合した第１閉塞部と、
前記第１閉塞部を覆うように前記第１凹部内に充填された第１シール材とを備えたコネクタ。
【請求項２】
請求項１記載のコネクタにおいて、
第２端子をさらに備えており、
前記ボディは、前記第１方向の一方側に開口した第２凹部と、
前記第１方向の他方側に開口した開口部と、
前記第２凹部および前記開口部に連通するように、前記第２凹部と前記開口部との間に設けられた第２嵌合穴とをさらに有しており、
前記第２端子は、前記開口部を閉塞すると共に、当該開口部から部分的に露出するように前記第２嵌合穴に保持されているコネクタ。
【請求項３】
請求項１記載のコネクタにおいて、
前記第２端子は、前記第２嵌合穴に前記第１方向に交差する第２方向に間隔をあけて保持された一対の固定部と、
前記固定部を連結しており且つ前記開口部を閉塞すると共に、当該開口部から部分的に露出した接点部とを有しているコネクタ。
【請求項４】
請求項２記載のコネクタにおいて、
前記第２端子を少なくとも部分的に覆うように前記第２嵌合穴に嵌合した第２閉塞部と、
前記第２閉塞部を覆うように前記第２凹部内に充填された第２シール材とをさらに備えたコネクタ。
【請求項５】
請求項３記載のコネクタにおいて、
第２閉塞部と、
前記第２閉塞部を覆うように前記第２凹部内に充填された第２シール材とをさらに備えており、
前記第２閉塞部は、少なくとも前記第２端子の前記固定部のうちの一方および前記接点部を覆うように、前記第２嵌合穴に嵌合した閉塞部本体と、
前記閉塞部本体に設けられており且つ前記固定部に当該固定部の内側から当接したリブを有しているコネクタ。
【請求項６】
請求項５に記載のコネクタにおいて、
前記第２閉塞部の前記リブは角筒状であるコネクタ。
【請求項７】
請求項１〜６の何れかに記載のコネクタにおいて、
ロック端子をさらに備えており、
前記ボディは、前記第１方向の他方側に開口するように、前記保持部の前記第１方向の他方側に設けられた接続穴と、
前記接続穴の前記第１方向に交差する第３方向の一方側に設けられた収容穴と、
前記収容穴の前記第３方向の一方側に設けられた圧入穴とをさらに有しており、
前記ロック端子は、前記圧入穴に保持されたベースと、
前記ベースから前記第３方向の他方側に延びた後、前記第１方向の他方側に延びるように湾曲しており且つ前記収容穴に収容された湾曲部と、
前記湾曲部に設けられ、前記収容孔および前記接続穴内に配置されたフックとを有しているコネクタ。
【請求項８】
請求項７記載のコネクタにおいて、
前記第１閉塞部は、前記湾曲部に前記第３方向の他方側から当接したリブを有しているコネクタ。
【請求項９】
請求項１〜８の何れかに記載のコネクタにおいて、
前記第１端子は、前記保持部に保持された本体部と、
前記第１シール材を貫通したテール部と、
前記保持部の前記第１方向の他方側に配置された接点部とを有しているコネクタ。
【請求項１０】
請求項３、５又は６記載のコネクタにおいて、
前記第２端子は、前記固定部のうちの一方に連設されており且つ前記第２嵌合穴の内壁と前記第２閉塞部との間の間隙を通り、前記第２シール材を貫通したテール部をさらに有しているコネクタ。
【請求項１１】
請求項１〜１０の何れかに記載のコネクタを備えた電子機器。
【発明の詳細な説明】
【技術分野】
【０００１】
本発明は、コネクタおよびこれを備えた電子機器に関する。
【背景技術】
【０００２】
この種のコネクタとしては、下記特許文献１に記載されたものがある。このコネクタは、ボディと、シェルと、信号端子と、電源端子と、第１、第２シール材とを備えている。ボディは、筒状の本体部と、この本体部内に設けられた壁である支持部とを有している。この支持部によって、本体部の内空間が前側空間および後側空間に区分けされている。シェルは本体部の前側空間に収容された金属製の筒である。信号端子および電源端子は支持部に支持され、本体部の前側空間および後側空間内に配置されている。第１シール材は、ボディの前側の端部の外周に環状に設けられている。第２シール材は、本体部の後側空間内に当該後側空間の周壁部に沿って環状に設けられている。第１、第２シール材によって、前記コネクタの防水性が向上している。
【先行技術文献】
【特許文献】
【０００３】
【特許文献１】ＷＯ２０１１／１０８６７９号公報
【発明の概要】
【発明が解決しようとする課題】
【０００４】
第２シール材は、本体部の後側空間の中央領域（すなわち、支持部の中央部）に設けられていない。信号端子は、支持部の中央部に支持されていることから、当該信号端子をつたって水が進入する恐れがある。また、第２シール材は接着剤であるので、ボディの周壁部に沿って環状に設けることは困難であった。
【０００５】
本発明は、上記事情に鑑みて創案されたものであって、その目的とするところは、防水性を向上させることができ且つ容易に製造することができるコネクタおよびこれを備えた電子機器を提供することにある。
【課題を解決するための手段】
【０００６】
上記課題を解決するために、本発明のコネクタは、ボディと、第１端子と、第１閉塞部と、第１シール材とを備えている。前記ボディは、第１凹部と、第１嵌合穴と、保持部とを有している。前記第１凹部は、第１方向の一方側に開口している。前記第１嵌合穴は、前記第１凹部に連通するように当該第１凹部の前記第１方向の他方側に設けられている。前記保持部は、前記第１凹部および前記第１嵌合穴の少なくとも一方の前記第１方向の他方側に設けられている。前記第１端子は、前記ボディの前記保持部に保持されている。前記第１閉塞部は、前記保持部の前記第１端子を保持した部分を覆うように前記第１嵌合穴に嵌合している。第１シール材は、前記第１閉塞部を覆うように前記第１凹部内に充填されている。
【０００７】
このような態様のコネクタによる場合、第１閉塞部が保持部の第１端子を保持した部分を覆い、第１シール材が第１閉塞部を覆っているので、当該コネクタの防水性を向上させることができる。また、第１凹部が第１方向の一方側に開口し、第１嵌合穴が第１凹部に連通するように第１凹部の前記第１方向の他方側に設けられているので、第１方向の一方側から第１閉塞部を第１嵌合穴に嵌合させ、第１シール材を第１方向の一方側から第１凹部に充填させることができる。このように第１閉塞部の嵌合作業および第１シール材の充填作業を同方向から行うことができ且つ第１シール材を第１凹部に充填するだけで良いので、当該コネクタの製造が容易になる。
【０００８】
前記ボディは、第２凹部と、開口部と、第２嵌合穴とをさらに有した構成とすることが可能である。第２凹部は前記第１方向の一方側に開口した構成とすることが可能である。前記開口部は、前記第１方向の他方側に開口した構成とすることが可能である。前記第２嵌合穴は、前記第２凹部および前記開口部に連通するように前記第２凹部と前記開口部との間に設けられた構成とすることが可能である。前記コネクタは第２端子をさらに備えた構成とすることが可能である。前記第２端子は、前記開口部を閉塞すると共に、当該開口部から部分的に露出するように、前記第２嵌合穴に保持された構成とすることが可能である。
【０００９】
このような態様のコネクタは、第２端子を備えているが、第２端子が開口部を閉塞している。よって、当該コネクタが第２端子を備えていることによって、当該コネクタの防水性の低下を招来するのを抑制することができる。
【００１０】
前記第２端子は、一対の固定部と、接点部とを有する構成とすることが可能である。前記固定部は、前記第２嵌合穴に前記第１方向に交差する第２方向に間隔をあけて保持された構成とすることが可能である。前記接点部は、前記固定部を連結しており且つ前記開口部を閉塞すると共に、当該開口部から部分的に露出した構成とすることが可能である。
【００１１】
このような態様のコネクタによる場合、一対の固定部が第２嵌合穴に保持されているので、ボディの第２端子に対する保持力を向上させることができる。
【００１２】
前記ボディは、第２閉塞部と、第２シール材とを更に備えた構成とすることが可能である。前記第２閉塞部は、前記第２端子を少なくとも部分的に覆うように前記第２嵌合穴に嵌合した構成とすることが可能である。前記第２シール材は、前記第２閉塞部を覆うように前記第２凹部内に充填された構成とすることが可能である。
【００１３】
このような態様のコネクタによる場合、第２閉塞部が第２端子を少なくとも部分的に覆い、第２シール材が第２閉塞部を覆っているので、当該コネクタの防水性を向上させることができる。また、第２凹部が第１方向の一方側に開口し、第２嵌合穴が第２凹部に連通しているので、第１方向の一方側から第２閉塞部を第２嵌合穴に嵌合させ、第２シール材を第１方向の一方側から第２凹部に充填させることができる。すなわち、第２閉塞部の嵌合作業および第２シール材の充填作業を同方向から行うことができ且つ第２シール材を第２凹部に充填させるだけで良いので、当該コネクタの製造が容易になる。
【００１４】
前記第２閉塞部は、閉塞部本体と、リブとを有する構成とすることが可能である。前記閉塞部本体は、少なくとも前記第２端子の前記固定部の一方および前記接点部を覆うように、前記第２嵌合穴に嵌合した構成とすることが可能である。前記リブは、前記閉塞部本体に設けられており且つ前記固定部に当該固定部の内側から当接した構成とすることが可能である。
【００１５】
このような態様のコネクタによる場合、リブが第２端子の固定部にその内側から当接しているので、ボディの第２端子に対する保持力を更に向上させることができる。
【００１６】
前記第２閉塞部の前記リブは角筒状とすることが可能である。このような態様のコネクタによる場合、角筒状のリブは外力を受けても弾性変形し難い。このため、当該コネクタが外力を受けても、リブが第２端子の固定部に当接した状態が維持され得るので、ボディの第２端子に対する保持力を更に向上させることができる。
【００１７】
前記ボディは、接続穴と、収容穴と、圧入穴とをさらに有する構成とすることが可能である。前記接続穴は、前記第１方向の他方側に開口するように、前記保持部の前記第１方向の他方側に設けられた構成とすることが可能である。前記収容穴は、前記接続穴の前記第１方向に交差する第３方向の一方側に設けられた構成とすることが可能である。前記圧入穴は、前記収容穴の前記第３方向の一方側に設けられた構成とすることが可能である。前記コネクタは、ロック端子をさらに備えた構成とすることが可能である。前記ロック端子は、ベースと、湾曲部と、フックとを有する構成とすることが可能である。前記ベースは、前記圧入穴に保持された構成とすることが可能である。前記湾曲部は、前記ベースから前記第３方向の他方側に延びた後、前記第１方向の他方側に延びるように湾曲した構成とすることが可能である。前記湾曲部は前記収容穴に収容された構成とすることが可能である。前記フックは、前記湾曲部に設けられ、前記収容孔および前記接続穴内に配置された構成とすることが可能である。
【００１８】
このような態様のコネクタによる場合、相手側コネクタが接続穴内に挿入されると、当該相手側コネクタによってフックが押圧され、第３方向の一方側に変位すると共に、湾曲部が弾性変形する。これにより、フックが相手側コネクタに押圧されることにより生じる荷重が、ボディのベースを保持する部分にかかるのを抑制することができる。
【００１９】
前記第１閉塞部は、リブを有する構成とすることが可能である。前記リブは、前記湾曲部に前記第３方向の他方側から当接した構成とすることが可能である。このような態様のコネクタによる場合、第１閉塞部のリブがロック端子の湾曲部に第３方向の他方側から当接しているので、フックが相手側コネクタに押圧されることにより生じる荷重によって、湾曲部が前記第３方向の他方側に座屈する可能性を低減することができる。
【００２０】
前記第１端子は、本体部と、テール部と、接点部とを有する構成とすることが可能である。前記本体部は、前記保持部に保持された構成とすることが可能である。前記テール部は、前記第１シール材を貫通した構成とすることが可能である。前記接点部は、前記保持部の前記第１方向の他方側に配置された構成とすることが可能である。
【００２１】
前記第２端子は、テール部をさらに有する構成とすることが可能である。前記テール部は、前記固定部のうちの一方に連設されており且つ前記第２嵌合穴の内壁と前記第２閉塞部との間の間隙を通り、前記第２シール材を貫通した構成とすることが可能である。
【００２２】
本発明の電子機器は、上述した何れかの態様のコネクタを備えている。
【図面の簡単な説明】
【００２３】
【図１Ａ】本発明の実施例１に係るコネクタの正面、平面および右側面から表した斜視図である。
【図１Ｂ】前記コネクタの背面、底面および左側面から表した斜視図である。
【図２Ａ】前記コネクタの図１Ａ中の２Ａ−２Ａ拡大断面図である。
【図２Ｂ】前記コネクタの図１Ａ中の２Ｂ−２Ｂ拡大断面図である。
【図２Ｃ】前記コネクタの図１Ａ中の２Ｃ−２Ｃ拡大断面図である。
【図２Ｄ】前記コネクタの図１Ａ中の２Ｄ−２Ｄ拡大断面図である。
【図２Ｅ】前記コネクタの図１Ａ中の２Ｅ−２Ｅ拡大断面図である。
【図３Ａ】前記コネクタの正面、平面および右側面から表した分解斜視図である。
【図３Ｂ】前記コネクタの背面、底面および右側面から表した分解斜視図である。
【図４Ａ】本発明の実施例１に係る電子機器の正面、平面および右側面から表した斜視図である。
【図４Ｂ】前記電子機器の内部構造を省略した図４Ａ中の４Ｂ−４Ｂ拡大断面図である。
【図４Ｃ】前記電子機器の内部構造を省略した分解斜視図である。
【図５】本発明の実施例２に係るコネクタの正面、平面および右側面から表した斜視図である。
【図６Ａ】本発明の実施例２に係る電子機器の正面、平面および右側面から表した斜視図である。
【図６Ｂ】前記電子機器の内部構造を省略した図６Ａ中の６Ｂ−６Ｂ拡大断面図である。
【図６Ｃ】前記電子機器の内部構造を省略した分解斜視図である。
【発明を実施するための形態】
【００２４】
以下、本発明の実施例１および実施例２について説明する。
【実施例１】
【００２５】
以下、本発明の実施例１に係るコネクタについて図１Ａ〜図３Ｂを参照しつつ説明する。コネクタＣは、ボディ１００と、一対の第１端子２００ａと、一対の第２端子２００ｂと、ロック端子３００と、第１閉塞部４００ａと、一対の第２閉塞部４００ｂと、第１シール材５００ａと、一対の第２シール材５００ｂとを備えている。以下、コネクタＣの各構成要件について詳しく説明する。なお、図２Ａ〜図Ｂに示すＹおよび−Ｙ方向は、コネクタＣの前後方向であり且つ特許請求の範囲の第１方向に相当している。−Ｙ方向はコネクタＣの前方向であり且つ特許請求の範囲の第１方向の一方側に相当し、Ｙ方向はコネクタＣの後方向であり且つ特許請求の範囲の第１方向の他方側に相当している。Ｘおよび−Ｘ方向は、コネクタＣの幅方向であり且つ特許請求の範囲の第２方向に相当している。Ｘおよび−Ｘ方向は、Ｙおよび−Ｙ方向に直角に交差している。Ｚおよび−Ｚ方向は、コネクタＣの高さ方向であり且つ特許請求の範囲の第３方向に相当している。Ｚおよび−Ｚ方向は、Ｙおよび−Ｙ方向およびＸおよび−Ｘ方向に直角に交差している。Ｚ方向は、コネクタＣの上方向であり且つ特許請求の範囲の第３方向の一方側に相当している。−Ｚ方向は、コネクタＣの下方向あり且つ特許請求の範囲の第３方向の他方側に相当している。
【００２６】
ボディ１００は、図１Ａ〜図３Ｂに示すように、絶縁樹脂で構成されている。ボディ１００は、第１ボディ１１０と、第２ボディ１２０と、接続穴１３０と、一対の開口部１４０と、第１嵌合穴１５０ａと、一対の第２嵌合穴１５０ｂと、第１凹部１６０ａと、一対の第２凹部１６０ｂと、保持部１７０と、舌部１８０と、圧入穴１９１と、収容穴１９２（特許請求の範囲の収容穴）とを有している。
【００２７】
第１ボディ１１０は、略直方体状のブロックである。第１ボディ１１０の外周面のＹ方向の端部には、環状の溝１１１が設けられている。第１ボディ１１０の中央部には、第２ボディ１２０が設けられている。第２ボディ１２０は、第１ボディ１１０の中央部から−Ｙ方向に延びた略矩形状のブロックである。第２ボディ１２０のＸおよび−Ｘ方向の寸法は、第１ボディ１１０より小さい。第２ボディ１２０のＺ方向の端部は、第１ボディ１１０のＺ方向の端面よりＺ方向に突出している。第２ボディ１２０の−Ｚ方向の端面と第１ボディ１１０の−Ｚ方向の端面とはフラットである。
【００２８】
接続穴１３０は、図１Ａ、図２Ａ、図２Ｃ、図２Ｄおよび図３Ａに示すように、Ｙ方向に開口するように、第１ボディ１１０の中央部および第２ボディ１２０に設けられた穴である。接続穴１３０の形は図示しない相手側コネクタの外形に対応している。この接続穴１３０に相手側コネクタが嵌合可能である。第１凹部１６０ａは、図２Ａ、図２Ｃ、図２Ｄおよび図３Ｂに示すように、−Ｙ方向に開口するように、第２ボディ１２０の−Ｙ方向の端面に設けられている。第１嵌合穴１５０ａは、図２Ａ、図２Ｃ、図２Ｄおよび図３Ｂに示すように、第２ボディ１２０の第１凹部１６０ａよりＹ方向側の部分に、当該第１凹部１６０ａに連通するように設けられている。第１嵌合穴１５０ａは、主穴１５１ａと、一対の副穴１５２ａとを有している。主穴１５１ａは、Ｚおよび−Ｚ方向の寸法が第１凹部１６０ａのＺおよび−Ｚ方向の寸法より小さく且つＸおよび−Ｘ方向の寸法が第１凹部１６０ａのＸおよび−Ｘ方向の寸法と同じ穴である。主穴１５１ａおよび第１凹部１６０ａのＺ方向の端面はフラットである。副穴１５２ａは、第２ボディ１２０の主穴１５１ａより−Ｚ方向側の部分に、Ｘおよび−Ｘ方向に間隔をあけて設けられている。副穴１５２ａは主穴１５１ａに連通している。
【００２９】
保持部１７０は、図２Ａ、図２Ｃ、図２Ｄおよび図３Ｂに示すように、第２ボディ１２０の接続穴１３０と第１嵌合穴１５０ａとの間および接続穴１３０と第１凹部１６０ａとの間に設けられた壁である。保持部１７０は、図３Ｂに示すように、薄肉部と、厚肉部とを有する。薄肉部は第２ボディ１２０の接続穴１３０と第１嵌合穴１５０ａとの間に設けられている。厚肉部は、薄肉部の−Ｚ方向側の端に連続するように、接続穴１３０と第１凹部１６０ａとの間に設けられている。すなわち、保持部１７０は、ボディ１００の第１嵌合穴１５０ａおよび第１凹部１６０ａより−Ｙ方向側に設けられている。保持部１７０には、一対の保持孔１７１がＸおよび−Ｘ方向に間隔をあけて設けられている。各保持穴１７１は、保持部１７０をＹおよび−Ｙ方向に貫通している。保持穴１７１は、Ｙ方向側で接続穴１３０および後述する収容穴１８１に連通し、−Ｙ方向側で第１嵌合穴１５０ａの主穴１５１ａおよび副穴１５２ａに連通している。保持部１７０の保持穴１７１よりＺ方向側の部分には、図２Ａに示すように、挿入穴１７２が設けられている。
【００３０】
板状の舌部１８０は、図２Ａに最も良く示されているように、保持部１７０のＹ方向の端面からＹ方向に延びている。舌部１８０は、接続穴１３０内に配置されている。舌部１８０は、上記相手側コネクタの接続穴に挿入可能である。舌部１８０には、一対の収容穴１８１が設けられている。各収容穴１８１はＹおよび−Ｙ方向に延びており且つ接続穴１３０および保持穴１７１に連通している。
【００３１】
収容穴１９２は、図２Ａに最も良く示されているように、第１、第２ボディ１１０、１２０の挿入穴１７２よりもＺ方向側の部分に設けられている。収容穴１９２は、接続穴１３０、挿入穴１７２および第１嵌合穴１５０ａに連通している。圧入穴１９１は、図２Ａに最も良く示されているように、第２ボディ１２０の収容穴１９２よりもＺ方向側の部分に設けられている。圧入穴１９１は収容穴１９２および第１嵌合穴１５０ａに連通している。圧入穴１９１のＹおよび−Ｙ方向の寸法は、収容穴１９２のＹおよび−Ｙ方向の寸法よりも小さい。圧入穴１９１のＸおよび−Ｘ方向の寸法は、図３Ｂに示すように、収容穴１９２のＸおよび−Ｘ方向の寸法よりも小さい。
【００３２】
一対の開口部１４０は、図１Ａ、図２Ｂ〜図２Ｄ、図３Ａおよび図３Ｂに示すように、Ｙ方向に開口するように、第１ボディ１１０のＹ方向の端面のＸおよび−Ｘ方向の端部に設けられた穴である。一対の第２凹部１６０ｂは、図２Ｂ〜図２Ｄ、図３Ａおよび図３Ｂに示すように、−Ｙ方向に開口するように、第１ボディ１１０の−Ｙ方向の端面のＸおよび−Ｘ方向の端部に設けられた穴である。一対の第２嵌合穴１５０ｂは、図２Ｂ〜図２Ｅ、図３Ａおよび図３Ｂに示すように、第１ボディ１１０の開口部１４０と第２凹部１６０ｂとの間の部分に設けられている。
【００３３】
各第２嵌合穴１５０ｂの形は、図２Ｃ、図２Ｄおよび図３Ｂに示すように、開口部１４０の形よりも大きく且つ第２凹部１６０ｂの形よりも小さい。各第２嵌合穴１５０ｂは、中央穴１５１ｂと、内側の側穴１５２ｂと、外側の側穴１５３ｂと、後側穴１５４ｂとを有している。中央穴１５１ｂは略矩形状の穴であって、Ｙ方向側で開口部１４０に連通している。側穴１５２ｂは、第１ボディ１１０の中央穴１５１ｂよりも内側に、当該中央穴１５１ｂに連通するように設けられている。側穴１５３ｂは、第１ボディ１１０の中央穴１５１ｂよりも外側に、当該中央穴１５１ｂに連通するように設けられている。側穴１５３ｂは、−Ｙ方向側で第２凹部１６０ｂに連通している。後側穴１５３ｂは、第１ボディ１１０の中央穴１５１ｂおよび側穴１５２ｂよりも−Ｙ方向側に設けられている。後側穴１５４ｂは、Ｙ方向側において中央穴１５１ｂおよび側穴１５２ｂに連通し、−Ｙ方向側で第２凹部１６０ｂに連通している。
【００３４】
一対の第１端子２００ａは、金属板で構成されている。第１端子２００ａは、本実施例１では充電用端子として使用されている。各第１端子２００ａは、図２Ａ、図３Ａおよび図３Ｂに示すように、本体部２１０ａと、テール部２２０ａと、接点部２３０ａとを有している。
【００３５】
本体部２１０ａは、Ｙおよび−Ｙ方向に延びた金属板であって、Ｙ方向側の第１端部と、−Ｙ方向側の第２端部とを有している。本体部２１０ａの第２端部のＸおよび−Ｘ方向の寸法は、ボディ１００の保持部１７０の保持穴１７１のＸおよび−Ｘ方向の寸法よりも若干大きい。本体部２１０ａの第２端部が保持部１７０の保持穴１７１に圧入され、当該保持部１７０に保持されている。本体部２１０ａの第１端部は、保持部１７０の保持穴１７１からＹ方向に突出し、ボディ１００の舌部１８０の収容穴１８１に収容されている。
【００３６】
接点部２３０ａは、本体部２１０ａの第１端部に連設され且つＺ方向および−Ｙ方向に折り返された金属板である。接点部２３０ａの先端部は、Ｚ方向に凸となるように下向き略Ｖ字状に折り曲げられている。接点部２３０の先端部が収容穴１８１からＺ方向に突出し、接続穴１３０内に配置されている。これが接点部２３０ａの初期位置である。接点部２３０ａが荷重を受けることによって、本体部２１０ａの第１端部が弾性変形し、当該接点部２３０ａが−Ｚ方向側に変位するようになっている。
【００３７】
テール部２２０ａは、第１、第２端部を有している。テール部２２０ａの第１端部は、本体部２１０ａの第２端部から−Ｙ方向に延びた金属板である。テール部２２０ａの第２端部は、テール部２２０ａの第１端部から−Ｚ方向に延びたた金属板である。
【００３８】
ロック端子３００は、金属板で構成されている。ロック端子３００は、図２Ａ、図３Ａおよび図３Ｂに示すように、ベース３１０と、湾曲部３２０と、フック３３０とを有している。ベース３１０は、矩形状の金属板である。ベース３１０のＸおよび−Ｘ方向の寸法は、ボディ１００の圧入穴１９１のＸおよび−Ｘ方向の寸法の寸法よりも若干大きい。ベース３１０が圧入穴１９１に圧入され、保持されている。
【００３９】
湾曲部３２０は、ベース３１０の−Ｙ方向側の端部に連設され、−Ｚ方向およびＹ方向に折り返された円弧状の金属板である。湾曲部３２０は、ボディ１００の収容穴１９２に収容されている。
【００４０】
フック３３０は、湾曲部３２０のＹ方向の端に連設され、同方向に延びた金属板である。フック３３０は、−Ｚ方向に略Ｖ字状に折り曲げられている。フック３３０の頂部以外の部分は、接続穴１３０内に配置されている。フック３３０の頂部は接続穴１３０内に配置されている。これがフック３３０の初期位置である。フック３３０が荷重を受けることによって、湾曲部３２０が弾性変形し、当該フック３３０がＺ方向側に変位するようになっている。
【００４１】
第１閉塞部４００ａは絶縁樹脂で構成されている。第１閉塞部４００ａは、図２Ａ、図２Ｃ〜図２Ｄ、図３Ａおよび図３Ｂに示すように、閉塞部本体４１０ａと、リブ４２０ａとを有している。閉塞部本体４１０ａは、ボディ１００の第１嵌合穴１５０ａの形（主穴１５１ａおよび副穴１５２ａの形）に対応した外形を有する絶縁樹脂製の板である。閉塞部本体４１０ａは、保持孔１７１を閉塞するように第１嵌合穴１５０ａ（主穴１５１ａおよび副穴１５２ａ）に嵌合している。すなわち、閉塞部本体４１０ａは保持部１７０の第１端子２００ａを保持した部分を覆っている。閉塞部本体４１０ａは、一対の脚部４１１ａを有している。脚部４１１ａは、図２Ａに示すように第１嵌合穴１５０ａの副穴１５２ａに嵌合し、第１端子２００ａの本体部２１０ａに当接している。リブ４２０ａは、閉塞部本体４１０ａのＹ方向側の端面からＹ方向に延びた板である。リブ４２０ａは、保持部１７０の挿入穴１７２に挿入され、ロック端子３００の湾曲部３２０に−Ｚ方向側から当接している。
【００４２】
第１シール材５００ａは、図１Ｂ、図２Ａおよび図２Ｃ〜図２Ｄに示すように、第１閉塞部４００ａの閉塞部本体４１０ａを覆うように第１凹部１６０ａに充填されたシリコーン系接着剤である。第１シール材５００ａによって、第１凹部１６０ａが密閉されている。第１端子２００ａのテール部２２０ａの第１端部は第１シール材５００ａを貫通し、第２ボディ１２０から−Ｙ方向に突出している。テール部２２０ａの第２端部は、第２ボディ１２０外に位置している。
【００４３】
一対の第２端子２００ｂは、その板厚が第１端子２００ａの板厚よりも大きい金属板で構成されている。一対の第２端子２００ｂは、図２Ｂ、図２Ｃ〜図２Ｅ、図３Ａおよび図３Ｂに示すように、Ｘおよび−Ｘ方向において対称形状である以外、同じ構成である。このため、一対の第２端子２００ｂは、区別せずに説明する。なお、第２端子２００ｂは、本実施例１では充電用端子として使用されている。
【００４４】
各第２端子２００ｂは、固定部２１０ｂ、２２０ｂと、接点部２３０ｂと、テール部２４０ｂとを有している。固定部２１０ｂ、２２０ｂはＹおよび−Ｙ方向およびＺおよび−Ｚ方向に延びた矩形状の金属板である。固定部２１０ｂのＺおよび−Ｚ方向の寸法は第２嵌合穴１５０ｂの側穴１５２ｂのＺおよび−Ｚ方向の寸法より若干大きく、且つ、固定部２１０ｂのＸおよび−Ｘ方向の寸法は側穴１５２ｂのＸおよび−Ｘ方向の寸法より若干小さい。固定部２１０ｂが側穴１５２ｂに圧入され、保持されている。固定部２２０ｂのＺおよび−Ｚ方向の寸法は第２嵌合穴１５０ｂの側穴１５３ｂのＺおよび−Ｚ方向の寸法より若干大きく、且つ、固定部２２０ｂのＸおよび−Ｘ方向の寸法は側穴１５３ｂのＸおよび−Ｘ方向の寸法より若干小さい。固定部２２０ｂが側穴１５３ｂに圧入され、保持されている。
【００４５】
接点部２３０ｂは、Ｘおよび−Ｘ方向およびＺおよび−Ｚ方向に延びた矩形状の金属板であって、固定部２１０ｂ、２２０ｂのＹ方向の端を連結している。接点部２３０ｂの外形は、第１嵌合穴１５０ｂの中央穴１５１ｂの形より小さく且つ開口部１４０の形よりも大きい。接点部２３０ｂが中央穴１５１ｂ内に収容され、開口部１４０を閉塞すると共に、当該開口部１４０から部分的に露出している。
【００４６】
テール部２４０ｂは、固定部２２０ｂの−Ｙ方向側の端に連設された金属板である。テール部２４０は、第１、第２端部を有している。テール部２４０ｂの第１端部は、固定部２２０ｂの−Ｙ方向側の端から−Ｙ方向に延びた金属板である。テール部２４０ｂの第２端部は、テール部２４０ｂの第１端部から−Ｚ方向に延びたた金属板である。
【００４７】
一対の第２閉塞部４００ｂは絶縁樹脂で構成されている。一対の第２閉塞部４００ｂは、図２Ｂ、図２Ｃ〜図２Ｅ、図３Ａおよび図３Ｂに示すように、Ｘおよび−Ｘ方向において対称形状である以外、同じ構成である。よって、一対の第２閉塞部４００ｂは、区別せずに説明する。各第２閉塞部４００ｂは、閉塞部本体４１０ｂと、リブ４２０ｂとを有している。閉塞部本体４１０ｂは、ボディ１００の第２嵌合穴１５０ｂの後側穴１５４ｂの形に対応した外形を有する絶縁樹脂製の板である。閉塞部本体４１０ｂは、中央穴１５１ｂおよび側穴１５２ｂを閉塞するように第２嵌合穴１５０ｂの後側穴１５４ｂに嵌合し且つ固定部２１０ｂの−Ｙ方向側の端に当接している。すなわち、閉塞部本体４１０ｂは、固定部２１０ｂおよび接点部２３０ｂを覆っている。閉塞部本体４１０ｂの外側の端（Ｘ方向側の端又は−Ｘ方向側の端）と、第２嵌合穴１５０ｂの後側穴１５４ｂの外側の内壁（−Ｘ方向側の内壁又はＸ方向側の内壁）との間には、間隙Ｇが形成されている。この間隙Ｇを第２端子２００ｂのテール部２４０ｂの第１端部が通っている。
【００４８】
リブ４２０ｂは、閉塞部本体４１０ｂのＹ方向側の端面に設けられた絶縁樹脂製の角筒である。リブ４２０ｂの外形は、第２嵌合穴１５０ｂの中央穴１５１ｂの形に対応した形状となっている。リブ４２０ｂは、図２Ａ〜図２Ｅに示すように中央穴１５１ｂに嵌合し、第２端子２００ｂの固定部２１０ｂ、２２０ｂに、当該固定部２１０ｂ、２２０ｂの内側から当接している。
【００４９】
各第２シール材５００ｂは、図１Ｂおよび図２Ｂ〜図２Ｅに示すように、第２閉塞部４００ｂの閉塞部本体４１０ｂを覆うように第２凹部１６０ｂに充填されたシリコーン系接着剤である。第２シール材５００ｂによって、第２凹部１６０ｂが密閉されている。第２端子２００ｂのテール部２４０ｂの第１端部は第２シール材５００ｂを貫通し、第１ボディ１１０から−Ｙ方向に突出している。テール部２４０ｂの第２端部は、第１ボディ１１０外に位置している。
【００５０】
以下、上述したコネクタＣの組立手順について詳しく説明する。まず、ボディ１００および第１端子２００ａを用意する。その後、第１端子２００ａをボディ１００の保持部１７０の保持孔１７１に−Ｙ方向側から挿入する。すると、第１端子２００ａの本体部２１０ａの第２端部が保持孔１７１に圧入され、保持部１７０に保持される。このとき、本体部２１０ａの第１端部が舌部１８０の収容穴１８１に挿入され、第１端子２００ａの接点部２３０ａが収容穴１８１を通って接続穴１３０内に配置される。
【００５１】
その後、ロック端子３００を用意する。その後、ロック端子３００のベース３１０をボディ１００の圧入穴１９１に−Ｙ方向側から挿入する。すると、ベース３１０が圧入穴１９１に圧入され、ボディ１００に保持される。このとき、ロック端子３００のフック３３０がボディ１００の収容穴１９２に挿入され、フック３３０の頂部が収容穴１９２を通って接続穴１３０内に配置される。ロック端子３００の湾曲部３２０が収容穴１９２内に収容される。なお、第１端子２００ａよりも前に、ロック端子３００をボディ１００に保持させることも可能である。
【００５２】
その後、第１閉塞部４００ａを用意する。その後、第１閉塞部４００ａのリブ４２０ａをボディ１００の保持部１７０の挿入穴１７２に挿入する。すると、リブ４２０ａがロック端子３００の湾曲部３２０に−Ｚ方向側から当接する。これと共に、第１閉塞部４００ａの閉塞部本体４１０ａを第１嵌合穴１５０ａに−Ｙ方向側から嵌合させる。このとき、閉塞部本体４１０ａの脚部４１１ａが第１嵌合穴１５０ａの副穴１５２ａに嵌合し、第１端子２００ａの本体部２１０ａに当接する。これにより、閉塞部本体４１０ａが保持孔１７１を閉塞し、保持部１７０の第１端子２００ａを保持する部分を覆う。
【００５３】
その一方で、第２端子２００ｂを用意する。その後、第２端子２００ｂの固定部２１０ｂをボディ１００の第２嵌合穴１５０ｂの側穴１５２ｂに、固定部２２０ｂを側穴１５３ｂに−Ｙ方向側から圧入し、ボディ１００に保持させる。これと共に、第２端子２００ｂの接点部２３０ｂをボディ１００の第２嵌合穴１５０ｂの中央穴１５１ｂに挿入し、開口部１４０を閉塞させる。これにより、接点部２３０ｂの中央部が開口部１４０から露出する。
【００５４】
その後、第２閉塞部４００ｂを用意する。その後、第２閉塞部４００ｂのリブ４２０ｂを第２嵌合穴１５０ｂの中央穴１５１ｂに嵌合させる。すると、リブ４２０ｂが第２端子２００ｂの固定部２１０ｂ、２２０ｂにその内側から当接する。これと共に、第２閉塞部４００ｂの閉塞部本体４１０ｂを第２嵌合穴１５０ｂの後側穴１５４ｂに嵌合させる。これにより、閉塞部本体４１０ｂが第２嵌合穴１５０ｂの中央穴１５１ｂおよび側穴１５２ｂを閉塞し、第２端子２００ｂの固定部２１０ｂおよび接点部２３０ｂを覆う。このとき、閉塞部本体４１０ｂと後側穴１５４ｂの内壁との間に間隙Ｇが形成される。この間隙Ｇ内に第２端子２００ｂのテール部２４０ｂの第１端部の一部が配置される。
【００５５】
その後、第１シール材５００ａをボディ１００の第１凹部１６０ａに−Ｙ方向側から塗布し、充填する。第２シール材５００ｂをボディ１００の第２凹部１６０ｂに−Ｙ方向側から塗布し、充填する。その後、第１、第２シール材５００ａ、５００ｂを硬化させる。これにより、第１シール材５００ａが第１閉塞部４００ａを覆い、第２シール材５００ｂが第２閉塞部４００ｂを覆う。
【００５６】
上述したコネクタＣは、図４Ａ〜図４Ｃに示す電子機器に備えられる。この電子機器は、コネクタＣと、ケース１０と、基板２０と、パッキン３０とを備えている。以下、電子機器の各構成要件について詳しく説明する。
【００５７】
コネクタＣは、基板２０上に実装されている。コネクタＣの第１、第２端子２００ａ、２００ｂのテール部２２０ａ、２４０ｂの第２端部は、基板２０のスルーホール電極に接続されている。
【００５８】
パッキン３０は、ゴム等のリング状の弾性体である。パッキン３０は、コネクタＣのボディ１００の溝１１１に嵌合し、当該ボディ１００に外嵌している。
【００５９】
ケース１０は、ケース本体１１と、蓋１２とを有している。ケース本体１１は、底部と、周壁部とを有している。周壁部は、底部の周縁部上に立設されている。周壁部には、開口１１ａが設けられている。蓋１２は、ケース本体１１の周壁部の上端に取り付けられている。コネクタＣが開口１１ａからケース本体１１外に露出するように、コネクタＣおよび基板２０がケース１０内に収容されている。パッキン３０は、コネクタＣとケース本体１１の開口１１ａの周縁部との間に圧縮状態で介在している。
【００６０】
以下、上述したコネクタＣの使用方法について詳しく説明する。コネクタＣの接続穴１３０に上記相手側コネクタが挿入されると共に、コネクタＣの舌部１８０が相手側コネクタの接続穴１３０に挿入される。すると、相手側コネクタが第１端子２００ａの接点部２３０ａを押圧する（接点部２３０ａに荷重がかかる）と共に、ロック端子３００のフック３３０を押圧する（フック３３０に荷重がかかる）。すると、第１端子２００ａの接点部２３０ａが初期位置から−Ｚ方向側に変位し、相手側コネクタの端子に弾性的に接触する。これにより、コネクタＣと相手側コネクタとが接続され、当該相手側コネクタを通じて電子機器に電力供給が行われる。これと共に、ロック端子３００のフック３３０が初期位置からＺ方向側に変位し、相手側コネクタの係合穴に係合される。これにより、相手側コネクタがコネクタＣにハーフロックされる。
【００６１】
相手側コネクタをコネクタＣから引き抜く方向（Ｙ方向）に移動させると、相手側コネクタの係合穴の縁部がロック端子３００のフック３３０を押圧する（フック３３０に荷重がかかる）。これにより、ロック端子３００のフック３３０がＺ方向側に変位し、フック３３０と相手側コネクタの係合穴との係合が解除される。その後、相手側コネクタがコネクタＣの接続穴１３０から引き抜かれると、相手側コネクタの第１端子２００ａの接点部２３０ａに対する押圧およびロック端子３００のフック３３０に対する押圧が解除される。これにより、接点部２３０ａおよびフック３３０が初期位置に復帰する。
【００６２】
上記電子機器が、図示しない充電用の台座に載置されると、コネクタＣの第２端子２００ｂの接点部２３０ｂの中央部（開口部１４０から露出した部分）が台座の端子に接触する。これにより、台座から電子機器に対して電力供給が行われる。
【００６３】
以上のようなコネクタＣによる場合、以下の技術的特徴を有する。第１に、コネクタＣの防水性を向上させることができる。その理由は以下のとおりである。ボディ１００の保持孔１７１、第１嵌合穴１５０ａおよび第１凹部１６０ａから水が侵入するのを抑制することができる。なぜなら、第１閉塞部４００ａがボディ１００の保持部１７０の保持孔１７１を閉塞するように第１嵌合穴１５０ａに嵌合し、且つ、第１シール材５００ａが第１閉塞部４００ａを覆うように第１凹部１６０ａに充填されているからである。また、ボディ１００の開口部１４０、第２嵌合穴１５０ｂおよび第２凹部１６０ｂから水が侵入するのを抑制することができる。なぜなら、第２端子２００ｂが開口部１４０を閉塞するように当該第２端子２００ｂが第２嵌合穴１５０ｂに保持され、第２閉塞部４００ｂが第２端子２００ｂの固定部２１０ｂおよび接点部２３０ｂを覆うように第２嵌合穴１５０ｂに嵌合し、且つ、第２シール材５００ｂが第２閉塞部４００ｂを覆うように第２凹部１６０ｂに充填されているからである。
【００６４】
第２に、コネクタＣの製造が容易になる。なぜなら、第１、第２端子２００ａ、２００ｂおよび第１、第２閉塞部４００ａ、４００ｂがボディ１００に対して−Ｙ方向側から取り付けられ、且つ、第１、第２シール材５００ａ、５００ｂがボディ１００の第１、第２凹部１６０ａ、１６０ｂに対して−Ｙ方向側から充填されるからである。換言すると、
第１、第２端子２００ａ、２００ｂおよび第１、第２閉塞部４００ａ、４００ｂがボディ１００に同方向から取り付けられ、且つ、第１、第２シール材５００ａ、５００ｂが前記同方向からボディ１００の第１、第２凹部１６０ａ、１６０ｂに充填されるからである。
【００６５】
第３に、ボディ１００の第２端子２００ｂに対する保持力（圧入強度）が向上する。なぜなら、第２端子２００ｂの固定部２１０ｂ、２２０ｂがボディ１００の第２嵌合穴１５０ｂに圧入され且つ第２閉塞部４００ｂのリブ４２０ｂが固定部２１０ｂ、２２０ｂに内側から当接しているからである。よって、コネクタＣは、ボディ１００の第２端子２００ｂに対する保持力を向上させるための補強部材を必要としない。
【００６６】
第４に、ロック端子３００のフック３３０が相手側コネクタに押圧されることにより生じる荷重が、ボディ１００のベース３１０を保持する部分にかかるのを抑制することができる。なぜなら、前記荷重によって、ロック端子３００の湾曲部３２０が弾性変形するからである。第５に、フック３３０が相手側コネクタに押圧されることにより生じる荷重によって、湾曲部３２０が−Ｚ方向側に座屈するのを抑制することができる。なぜなら、第１閉塞部４００ａのリブ４２０ａが湾曲部３２０に−Ｚ方向側から当接し、支持しているからである。
【００６７】
第６に、コネクタＣはボディ１００に固着される金属シェルを備えていないので、コネクタＣの部品点数の低減および低コスト化を図ることができる。特に、第２端子２００ｂの板厚が大きいため、第２端子２００ｂの基板に対する実装強度を向上させることができるため、コネクタＣはシェルを必要としない。第７に、一対の第２閉塞部４００ｂが対称形状であるので、当該第２閉塞部４００ｂを一つの金型で成形することができる。よって、金型コストが低減され、コネクタＣの製造コストが低減される。
【実施例２】
【００６８】
以下、本発明の実施例２に係るコネクタＣ’について図５を参照しつつ説明する。コネクタＣ’は、ボディ１００’の第１ボディ１１０’の外形が楕円状である点で、コネクタＣと相違している。これ以外については、コネクタＣ’はコネクタＣと同じ構成である。
【００６９】
このコネクタＣ’は、図６Ａ〜図６Ｃに示す電子機器に備えられる。この電子機器は、コネクタＣ’と、ケース１０’と、基板２０と、パッキン３０’とを備えている。以下、電子機器の各構成要件について詳しく説明する。
【００７０】
コネクタＣ’は、基板２０上に実装されている。コネクタＣ’の第１、第２端子２００ａ、２００ｂのテール部２２０ａ、２４０ｂの第２端部が、基板２０のスルーホール電極に接続されている。
【００７１】
パッキン３０’は、ゴム等の弾性体である。パッキン３０’は、コネクタ用のパッキン３１’と、ケース用のパッキン３２’と有している。パッキン３１’は、リング状であって、コネクタＣ’のボディ１００’の溝１１１’に嵌合し、当該ボディ１００’に外嵌している。パッキン３２’は、ケース１０の後述する第１、第２ケース１１’、１２’の周壁部の形状に対応した略Ｃ字状であって、第１、第２端を有している。パッキン３２’の第１端は、パッキン３１’の長さ方向（Ｘおよび−Ｘ方向）の一端に、パッキン３２’の第２端がパッキン３１’の前記長さ方向の他端に接続されている。
【００７２】
ケース１０’は、上下対称形状の第１、第２ケース１１’、１２’を有している。第１ケース１１’は、底部と、周壁部とを有している。周壁部は、底部の周縁部上に立設されている。周壁部には、開口１１ａ’が設けられている。第２ケース１２’も、底部と、周壁部とを有している。周壁部は、底部の周縁部上に立設されている。周壁部には、開口１２ａ’が設けられている。第１、第２ケース１１’、１２’が組み合わされた状態で、開口１１ａ’、１２ａ’が一つの開口をなす。コネクタＣ’が開口１１ａ’、１２ａ’からケース１０’外に露出するように、コネクタＣ’および基板２０がケース１０’内に収容されている。パッキン３１’は、コネクタＣ’と第１、第２ケース１１’、１２’の開口１１ａ’、１２ａ’の周縁部との間に圧縮状態で介在している。パッキン３２’は、第１、第２ケース１１’、１２’の周壁部の間に圧縮状態で介在している。
【００７３】
コネクタＣ’は、コネクタＣと同様に製造される。また、コネクタＣ’は、コネクタＣと同様に使用可能である。よって、コネクタＣ’は、コネクタＣと同様の技術的特徴を有する。
【００７４】
なお、上述したコネクタＣおよびＣ’は、上記実施例に限定されるものではなく、特許請求の範囲の記載範囲において任意に設計変更することが可能である。以下、詳しく述べる。
【００７５】
本発明のボディは、当該ボディに設けられ且つ第１方向の一方側に開口した第１凹部と、前記第１凹部に連通するように当該ボディの当該第１凹部の前記第１方向の他方側の部分に設けられた第１嵌合穴と、当該ボディの前記第１凹部および前記第１嵌合穴の少なくとも一方の前記第１方向の他方側の部分に設けられた保持部とを有する限り任意に設計変更することが可能である。例えば、第１端子がボディにインサート成形等によってボディの保持部内に埋め込まれた構成に設計変更することが可能である。この場合、第１端子がボディにボディの保持部内に埋め込まれている以外、上記実施例１および２と同様の構成とすることが可能である。第１端子がボディの保持部内に埋め込まれている場合であっても、第１端子と保持部との間から水が侵入する恐れがある。しかし、第１閉塞部が保持部の第１端子を保持した部分を覆うようにボディの第１嵌合穴に嵌合し、第１シール材が前記第１閉塞部を覆うようにボディの第１凹部内に充填されていることによって、前記水の侵入を抑制することができる。
【００７６】
また、上述したボディは、接続穴１３０又は舌部１８０の何れか一方又は双方が省略されるように設計変更することが可能である。舌部１８０を省略する場合には、接続穴１３０の内壁に設けられた溝から第１端子２００ａの接点部２３０ａが露出するように設計変更することが可能である。なお、開口部１４０、第２嵌合穴１５０ｂおよび第２凹部１６０ｂも省略可能である。また、圧入穴１９１および収容穴１９２も省略可能である。
【００７７】
本発明のボディの第２凹部は、第１方向の一方側に開口している限り任意に設計変更することが可能である。本発明のボディの開口部は、第１方向の他方側に開口している限り任意に設計変更することが可能である。本発明の第２嵌合穴は、前記第２凹部および前記開口部に連通するように前記第２凹部と前記開口部との間に設けられており且つ第２端子を保持し得る限り任意に設計変更することが可能である。
【００７８】
本発明の第１端子は、上述したボディの保持部に保持され得る限り任意に設計変更することが可能である。例えば、第１端子は、ボディの保持部の保持穴に保持された本体部と、ボディの保持部の第１方向の他方側に配置される接点部と、一部がボディ外に突出したテール部とを有する構成とすることが可能である。上述した第１端子の接点部は、ボディの舌部の収容穴又はボディの接続穴の内壁の溝から突出し、保持部の第１方向の他方側に配置された構成とすることが可能である。また、上述した第１端子のテール部は、上記実施例１又は２の様な形状、当該テール部の第２端部がボディの第１嵌合穴又は第１凹部の−Ｚ方向側の壁を貫通する形状、又は、当該テール部の第１、第２端部が−Ｙ方向に直線状に延びた形状とすることが可能である。すなわち、第１端子のテール部が基板にスルーホール実装又は表面実装されるか否かについては、任意に選択できる。なお、第１端子は、少なくとも一つあれば良い。また、第１端子は、充電用端子以外の端子（例えば、信号端子又はグランド端子等）として使用可能である。
【００７９】
本発明の第２端子は、上述したボディの開口部を閉塞すると共に、当該開口部から部分的に露出するように、当該ボディの第２嵌合穴に保持されている限り任意に設計変更することが可能である。例えば、第２端子の接点部がボディの第２嵌合穴に保持される構成とすることが可能である。この場合、第２端子の固定部２１０ｂおよび／又は固定部２２０ｂは省略可能である。
【００８０】
本発明の第２端子の固定部は、第２嵌合穴に保持されている限り任意に設計変更することが可能である。固定部は少なくとも一つあれば良い。また、一対の固定部が第２嵌合穴に第１方向に交差する第２方向に間隔をあけて保持された構成とすることが可能である。前記第２方向は、Ｚおよび−Ｚ方向とすることが可能である。すなわち、本発明における第２方向は、第３方向と同方向であっても良い。なお、第２端子は、少なくとも一つあれば良い。また、第２端子は、充電用端子以外の端子（例えば、信号端子又はグランド端子等）として使用可能である。
【００８１】
本発明の第２端子のテール部は、一部がボディ外に突出している限り任意に設計変更することが可能である。例えば、前記テール部は、上記実施例１又は２の様な形状、当該テール部の第２端部がボディの第２嵌合穴又は第２凹部の−Ｚ方向側の壁を貫通する形状、又は、当該テール部の第１、第２端部が−Ｙ方向に直線状に延びた形状とすることが可能である。すなわち、第２端子のテール部が基板にスルーホール実装又は表面実装されるか否かについては、任意に選択できる。上述した第２端子のテール部は、固定部の何れか一方、接点部又は第２端子の他の部分に連設されるように構成することが可能である。
【００８２】
本発明の第１閉塞部は、上述したボディの保持部の上述した第１端子を保持した部分を覆うように当該ボディの第１嵌合穴に嵌合している限り任意に設計変更することが可能である。よって、第１閉塞部のリブは省略可能である。
【００８３】
本発明の第２閉塞部は、上述した第２端子を少なくとも部分的に覆うように上述したボディの第２嵌合穴に嵌合している限り任意に設計変更することが可能である。第２閉塞部のリブは省略可能である。また、本発明の第２閉塞部のリブは、第２端子の一対の固定部にその内側から当接し得る限り任意に設計変更することが可能である。例えば、第２閉塞部のリブは、第２端子の一対の固定部にその内側から当接するブロック状、第２端子の一対の固定部にその内側から当接するＸおよび−Ｘ方向に延びる板状、又は、第２端子の一対の固定部にその内側から当接するＸおよび−Ｘ方向に間隔をあけて配置された一対の板とすることが可能である。
【００８４】
本発明のロック端子は、省略可能である。また、本発明のロック端子は、ボディの接続穴内で相手側コネクタの係合穴に係合され得る限り任意に設計変更することが可能である。
【００８５】
なお、上記実施例におけるコネクタの各構成要素を構成する素材、形状、寸法、数及び配置等はその一例を説明したものであって、同様の機能を実現し得る限り任意に設計変更することが可能である。上述した実施例及び設計変更例は、互いに矛盾しない限り、相互に組み合わせることが可能である。上記コネクタＣは、パッキン３０’が取り付けられ、ケース１０’に収容させることが可能である。上記コネクタＣ’は、パッキン３０が取り付けられ、ケース１０に収容させることが可能である。Ｘおよび−Ｘ方向（第２方向）は、Ｙおよび−Ｙ方向（第１方向）に交差している限り任意に設計変更することが可能である。Ｚおよび−Ｚ方向（第３方向）は、Ｙおよび−Ｙ方向（第１方向）に交差している限り任意に設計変更することが可能である。
【符号の説明】
【００８６】
１００・・・・・ボディ
１１０・・・・第１ボディ
１２０・・・・第２ボディ
１３０・・・・接続穴
１４０・・・・開口部
１５０ａ・・・第１嵌合穴
１５１ａ・・主穴
１５２ａ・・副穴
１５０ｂ・・・第２嵌合穴
１５１ｂ・・中央穴
１５２ｂ・・側穴
１５３ｂ・・側穴
１５４ｂ・・後側穴
１６０ａ・・・第１凹部
１６０ｂ・・・第２凹部
１７０・・・・保持部
１７１・・・保持穴
１７２・・・挿入穴
１８０・・・・舌部
１８１・・・収容穴
１９１・・・・圧入穴
１９２・・・・収容穴
２００ａ・・・・第１端子
２１０ａ・・・本体部
２２０ａ・・・テール部
２３０ａ・・・接点部
２００ｂ・・・・第２端子
２１０ｂ・・・固定部
２２０ｂ・・・固定部
２３０ｂ・・・接点部
２４０ｂ・・・テール部
３００・・・・・ロック端子
３１０・・・・ベース
３２０・・・・湾曲部
３３０・・・・フック
４００ａ・・・・第１閉塞部
４１０ａ・・・閉塞部本体
４２０ａ・・・リブ
４００ｂ・・・・第２閉塞部
４１０ｂ・・・閉塞部本体
４２０ｂ・・・リブ
５００ａ・・・・第１シール材
５００ｂ・・・・第２シール材
Ｙ・・・・・・・第１方向の一方側
−Ｙ・・・・・・第１方向の他方側
Ｘ・・・・・・・第２方向の一方側
−Ｘ・・・・・・第２方向の他方側
Ｚ・・・・・・・第３方向の一方側
−Ｚ・・・・・・第３方向の他方側
【図１Ａ】
2015026544.tif 000003
【図１Ｂ】
2015026544.tif 000004
【図２Ａ】
2015026544.tif 000005
【図２Ｂ】
2015026544.tif 000006
【図２Ｃ】
2015026544.tif 000007
【図２Ｄ】
2015026544.tif 000008
【図２Ｅ】
2015026544.tif 000009
【図３Ａ】
2015026544.tif 000010
【図３Ｂ】
2015026544.tif 000011
【図４Ａ】
2015026544.tif 000012
【図４Ｂ】
2015026544.tif 000013
【図４Ｃ】
2015026544.tif 000014
【図５】
2015026544.tif 000015
【図６Ａ】
2015026544.tif 000016
【図６Ｂ】
2015026544.tif 000017
【図６Ｃ】
2015026544.tif 000018